(57)【要約】【課題】楽器が標準チューニングとは異なる状態となっていたとしても、利用者に、再生されるカラオケ楽曲と調和した演奏を可能とする。【解決手段】カラオケ装置１０は、カラオケ楽曲データを再生可能である。演奏者によるエレキギター４のチューニング音を入力し、チューニングによる移調状態を表す移調情報を取得し、取得された移調情報で示されるマイナス側又はプラス側の移調状態と相反するようにコード及び運指情報をプラス側又はマイナス側へシフトすることにより、新たな演奏支援音高情報を生成し、カラオケ楽曲データの再生に応じて、上記新たな演奏支援音高情報を表示するモニタ１３，１４に表示する。【選択図】図５
2014026213.tif 000002
【特許請求の範囲】
【請求項１】
移調可能なフレット付き弦楽器、若しくは、移調可能な鍵盤楽器、からなる移調可能楽器の演奏パートを含む複数の楽器演奏パートから構成されるとともに前記移調可能楽器の演奏パートの演奏支援音高情報が対応付けられたカラオケ楽曲データを、再生可能なカラオケ楽曲再生手段と、
前記移調可能楽器の移調状態を表す移調情報を取得する移調情報取得手段と、
前記移調情報取得手段により取得された前記移調情報で示されるマイナス側又はプラス側の移調状態と相反するように前記演奏支援音高情報をプラス側又はマイナス側へシフトすることにより、新たな演奏支援音高情報を生成する音高情報シフト手段と、
前記カラオケ楽曲再生手段での前記カラオケ楽曲データの再生に応じて、前記音高情報シフト手段によりシフトされた前記新たな演奏支援音高情報を表示する、表示手段と、
を有することを特徴とする楽音演奏装置。
【請求項２】
請求項１記載の楽音演奏装置において、
前記移調可能楽器から出力される演奏信号を入力する演奏信号入力手段をさらに有し、
前記移調情報取得手段は、
前記演奏信号入力手段により入力された前記演奏信号に含まれる所定の音を基準音高と比較することで、前記移調情報を自動取得する
ことを特徴とする楽音演奏装置。
【請求項３】
請求項１又は請求項２記載の楽音演奏装置において、
前記表示手段は、
前記演奏支援音高情報として、前記移調可能楽器の運指情報、及び、前記フレット付き弦楽器のＴＡＢ譜情報、のうち少なくとも１つを表示する
ことを特徴とする楽音演奏装置。
【発明の詳細な説明】
【技術分野】
【０００１】
本発明は、カラオケ楽曲の再生と共に利用者が楽器を演奏できる楽音演奏装置に関する。
【背景技術】
【０００２】
カラオケ楽曲を演奏する楽音演奏装置において、複数の楽器演奏パートを含むカラオケ楽曲データの再生の際、利用者に楽曲の歌詞を表示する画面に、併せて当該楽曲のコード進行を表示する技術が既に知られている（例えば特許文献１参照）。利用者は、表示されるコード進行を見ながら、再生されるカラオケ楽曲に合わせて楽器演奏パートを自ら演奏して、当該楽器の練習を行ったり、カラオケ楽曲全体のアンサンブルを楽しむことができる。
【先行技術文献】
【特許文献】
【０００３】
【特許文献１】特開平６−３０８９９１号公報
【発明の概要】
【発明が解決しようとする課題】
【０００４】
ところで、例えばギター等の移調可能な楽器においては、いわゆる「Ａ＝４４０Ｈｚ」基準のチューニング等、標準的な発音態様とするためのチューニング設定（以下適宜、「標準チューニング」という）が存在する。しかしながら、楽曲によっては、重低音感を増大させるため等の目的で、上記標準チューニングよりも例えば半音あるいは１音下げたチューニングにより演奏することが前提となっている楽曲がある。したがって、例えばこのような楽曲の演奏に対応して、利用者のギターが、上記標準チューニングよりも下げたチューニング設定（以下適宜、「下げチューニング」という）とされる場合がありうる。
【０００５】
上記従来技術においては、上記カラオケ楽曲データに対応したコード進行の表示は、上記標準チューニングが前提となっている。したがって、上記のような下げチューニングが行われている場合、例えばカラオケ楽曲のコードＥに対応した部分の再生が行われ、表示手段にコードＥが表示され、当該表示に応じて「Ｅ」のポジションで利用者が演奏を行うと、実際に利用者のギターから発せられる音は「Ｅ♭」となってしまい、楽曲と調和しなくなる。
【０００６】
また、上記の下げチューニング以外に、例えばカポタストを使用して開放弦の音高を高く設定し、実質的に上記標準チューニングよりも上げたチューニング設定（以下適宜、「上げチューニング」という）とした場合も、同様の不調和が生じうる。さらに、電子鍵盤楽器等においても、上記同様、電子的な設定により上記下げチューニング又は上げチューニングとされる場合があり、この場合も上記同様の不調和が生じうる。
【０００７】
本発明の目的は、楽器が標準チューニングとは異なる状態となっていたとしても、再生されるカラオケ楽曲と調和した演奏を利用者が確実に行うことができる、楽音演奏装置を提供することにある。
【課題を解決するための手段】
【０００８】
上記目的を達成するために、第１の発明は、移調可能なフレット付き弦楽器、若しくは、移調可能な鍵盤楽器、からなる移調可能楽器の演奏パートを含む複数の楽器演奏パートから構成されるとともに前記移調可能楽器の演奏パートの演奏支援音高情報が対応付けられたカラオケ楽曲データを、再生可能なカラオケ楽曲再生手段と、前記移調可能楽器の移調状態を表す移調情報を取得する移調情報取得手段と、前記移調情報取得手段により取得された前記移調情報で示されるマイナス側又はプラス側の移調状態と相反するように前記演奏支援音高情報をプラス側又はマイナス側へシフトすることにより、新たな演奏支援音高情報を生成する音高情報シフト手段と、前記カラオケ楽曲再生手段での前記カラオケ楽曲データの再生に応じて、前記音高情報シフト手段によりシフトされた前記新たな演奏支援音高情報を表示する、表示手段と、を有することを特徴とする。
【０００９】
本願第１発明においては、カラオケ楽曲再生手段により移調可能楽器（移調可能なフレット付き弦楽器、若しくは、移調可能な鍵盤楽器）の演奏パートを含むカラオケ楽曲データが演奏される。そのとき、カラオケ楽曲データに対し、予め当該移調可能楽器の演奏パートの演奏支援音高情報（例えば、コード名情報や、ＴＡＢ譜情報や、運指情報等）が対応付けられており、当該カラオケ楽曲データの再生時には表示手段によって当該演奏支援音高情報が表示される。これにより、楽器演奏者である利用者は、再生されるカラオケ楽曲に合わせて上記移調可能楽器の楽器演奏パートを自ら演奏して、当該楽器の練習を行ったり、カラオケ楽曲全体のアンサンブルを楽しむことができる。またそのとき、表示手段に表示される上記演奏支援音高情報を活用して、演奏を容易に行うことができる。
【００１０】
そして、本願第１発明では、移調情報取得手段と音高情報シフト手段とが設けられる。移調可能楽器において上述の下げチューニングや上げチューニングが行われている場合には、移調情報取得手段により、当該下げチューニングや上げチューニングの移調状態（マイナス側に何音下げられているか又はプラス側に何音上げられているか）を表す移調情報が取得される。そして、音高情報シフト手段が、上記移調情報の表す移調状態と相反するように、上記演奏支援音高情報をシフトする。これにより、例えば半音下げの下げチューニングが行われているときには、演奏支援音高情報が半音上がるようにシフトされ、例えば１音上げの上げチューニングが行われているときには、演奏支援音高情報が１音下がるようにシフトされる。
【００１１】
そして、表示手段には、上記のようにシフトされた後の演奏音高情報が表示される。これにより、例えばカラオケ楽曲のコードＥに対応した部分の再生が行われているとき、利用者の移調可能楽器において例えば半音下げの下げチューニングが行われているときには、表示手段にはコードＥを半音上げたコードＦに対応した演奏支援音高情報が表示される。利用者が当該表示に応じて「Ｆ」のポジションで演奏を行うことで、実際に利用者の移調可能楽器から発せられる音は「Ｅ」ポジションに対応した音となり、再生されるカラオケ楽曲と確実に調和させることができる。同様に、例えば利用者の移調可能楽器が１音上げの上げチューニングが行われているときには、表示手段にはコードＥを１音下げたコードＤに対応した演奏支援音高情報が表示される。利用者が当該表示に応じて「Ｄ」のポジションで演奏を行うことで、実際に利用者の移調可能楽器から発せられる音は「Ｅ」ポジションに対応した音となり、再生されるカラオケ楽曲と確実に調和させることができる。
【００１２】
以上のようにして、本願第１発明においては、移調可能な楽器が標準チューニングとは異なる移調状態となっていたとしても、利用者に対し当該移調状態に対応して相反するようにシフトさせた演奏支援音高情報が表示される。これにより、利用者は、再生されるカラオケ楽曲と調和した演奏を確実に行うことができる。
【００１３】
第２発明は、上記第１発明において、前記移調可能楽器から出力される演奏信号を入力する演奏信号入力手段をさらに有し、前記移調情報取得手段は、前記演奏信号入力手段により入力された前記演奏信号に含まれる所定の音を基準音高と比較することで、前記移調情報を自動取得することを特徴とする。
【００１４】
これにより、例えばカラオケ楽曲の再生前に利用者が移調可能楽器を装置に接続し所定の演奏（発音）を行うだけで、装置側で当該移調可能楽器の移調情報を自動取得することができる。この場合、利用者が、移調可能楽器の移調情報を別途操作入力する必要等がなく操作負担を低減できるので、さらに利便性を向上することができる。
【００１５】
第３発明は、上記第１又は第２発明において、前記表示手段は、前記演奏支援音高情報として、前記移調可能楽器の運指情報、及び、前記フレット付き弦楽器のＴＡＢ譜情報、のうち少なくとも１つを表示することを特徴とする。
【００１６】
移調可能楽器の運指情報（弦楽器や鍵盤楽器のどの位置をどのように押さえるか）や、フレット付き弦楽器である場合のＴＡＢ譜情報を、上述のようにシフトさせた状態で表示することにより、利用者の習熟度に応じて、（例えば利用者が初心者である場合であっても）再生されるカラオケ楽曲と調和した演奏を確実に行うことができる。
【発明の効果】
【００１７】
本発明によれば、楽器が標準チューニングとは異なる状態となっていたとしても、再生されるカラオケ楽曲と調和した演奏を利用者が確実に行うことができる。
【図面の簡単な説明】
【００１８】
【図１】本発明の一実施形態のカラオケ装置の主要構成を示す説明図である。
【図２】カラオケ装置に備えられた制御装置の制御系の主要構成を示す機能ブロック図である。
【図３】比較例におけるカラオケ楽曲再生時のモニタの表示画面の表示の一例を示す説明図である。
【図４】実施形態におけるカラオケ楽曲再生時のモニタの表示画面の表示の一例を示す説明図である。
【図５】カラオケ装置の楽曲再生時にＣＰＵにより実行される処理内容を示すフローチャートである。
【図６】チューニング処理を示すフローチャートである。
【図７】チューニングメータの表示状態を表す説明図である。
【発明を実施するための形態】
【００１９】
以下、本発明の一実施の形態について、図面を参照しつつ説明する。本実施形態では、楽音演奏装置の一例としてのカラオケ装置に本発明を適用した場合を例にとって説明する。この例では、利用者がカラオケ装置の演奏と共に自らエレキギターを演奏する場合を説明する。
【００２０】
＜主要構成＞
図１は、本実施形態としてのカラオケ装置の主要構成を示す説明図である。図１に示すように、カラオケ装置１０には、歌詞を示す歌詞テロップ、歌詞テロップの背景に表示する背景映像、選曲番号を示す映像などをＣＲＴに表示するモニタテレビ（以下、モニタと略称する）１３（表示手段に相当）と、歌唱者用のモニタ１４（表示手段に相当）と、エレキギター４（移調可能楽器、移調可能なフレット付き弦楽器に相当）やエレキベースギター（移調可能楽器、移調可能なフレット付き弦楽器に相当）などの電子楽器を接続するための楽器接続ボード８と、複数の楽器の楽音により構成されるカラオケ用の楽曲（カラオケ楽曲。以下、適宜「曲」と略称する）の選曲、及び曲の再生の予約などの選曲制御、選曲された曲の送信要求を示すリクエスト信号のサーバーへの送信、及びリクエスト信号により示される曲に対応する曲データ（カラオケ楽曲データに相当）の受信などの通信制御、受信された曲データに含まれる楽音種類指定情報たるＭＩＤＩデータのうち楽器接続ボード８に接続された楽器と同じ種類の楽器の音源を指定する等の制御装置２０とが備えられている。
【００２１】
さらに、カラオケ装置１０には、この例では、楽器接続ボード８から入力される楽器の演奏信号、マイクロフォン１７，１８から入力される音声信号及び曲の再生信号のミキシング、音声と曲との音量バランス、エコー調整、ディレ移調整、ミキシング信号の増幅、再生される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井吊下げ用の１組のスピーカ１２，１２と、制御装置２０を遠隔操作するリモコン３０とが備えられている。
【００２２】
楽器接続ボード８は、図示を省略するが、電子ドラム、キーボード、エレキベースギター、エレキギター４の出力端子を接続するそれぞれの入力端子と、各入力端子に入力される演奏信号をそれぞれ出力する出力端子と、楽器の音程をＬＥＤ表示するチューニングメータ３６の出力端子を接続するチューニングメータ入力端子と、が設けられている。そして、楽器接続ボード８は、各楽器の出力端子が接続されたことを検出するとともに、接続された楽器の１つの演奏信号を選択し、その選択された演奏信号を制御装置２０の入力端子４４（後述の図２参照）へ出力する役割をする。例えばエレキギター４から出力される演奏信号は、出力端子（フォンプラグ）４ａ（後述の図２参照）により楽器接続ボード８へ入力され、楽器接続ボード８の出力端子から出力される演奏信号は、制御装置２０の入力端子４４へ入力される。
【００２３】
＜制御系＞
上記制御装置２０の制御系の構成について図２を参照して説明する。図２は、制御装置２０の制御系の主要構成を示す機能ブロック図である。制御装置２０は、装置筺体にＬＡＮ回線１５を接続する通信端子４０と、楽器接続ボード８の出力端子と接続される入力端子４４と、アンプ１６の音声入力端子と接続される音声出力端子４１と、モニタ１３の映像入力端子と接続される映像出力端子４２と、モニタ１４の映像入力端子と接続される映像出力端子４３とを備えている。この制御装置２０には、制御プログラムにしたがって各種制御を実行するＣＰＵ４５が設けられている。ＣＰＵ４５には、リモコン３０から送信されるデータ、選曲された曲の選曲番号を示す選曲番号データ、予約された曲の選曲番号データなどを一時保存するためのＲＡＭ４６と、ＣＰＵ４５により実行されるプログラム及び必要なデータテーブルなどが記憶されたＲＯＭ４７とが接続されている。
【００２４】
また、ＣＰＵ４５には、モニタ１３，１４に歌詞テロップや各種メッセージ映像を表示するための文字映像データが記憶されたビデオＲＡＭ４８と、サーバー５８から送信される曲データを通信端子４０を介して受信するためのＬＡＮボード５０と、このＬＡＮボード５０により受信された曲データを一時保存するためのＲＡＭ４９とが接続されている
【００２５】
さらに、ＣＰＵ４５には、ＲＡＭ４９から読み出された曲データに含まれるＭＩＤＩデータを入力するとともに、その入力されたＭＩＤＩデータにより指定される音源から音源信号を出力するＭＩＤＩ音源ボード５１が接続されている。また、ＣＰＵ４５には、上記出力された音源信号を入力してアンプ１６により増幅可能な信号に変換する音声制御回路５２と、曲データに含まれるジャンルデータにより特定されるジャンルの背景映像を示す背景映像データを読み出すＣＤ−ＲＯＭプレーヤ５３とが接続されている。
【００２６】
また、ＣＰＵ４５には、ＣＤ−ＲＯＭプレーヤ５３から読み出された背景映像データ、及びＲＡＭ４９から読み出された曲データに含まれる歌詞テロップデータを入力し、モニタ１３の表示画面に表示される背景映像中に歌詞テロップがスーパーインポーズされた映像を作成したり、曲の進行にしたがって歌詞テロップの色を変えたりする映像制御を行う映像制御回路５４が接続されている。
【００２７】
さらに、ＣＰＵ４５には、制御装置２０の受光部３８により受光されたリモコン３０からの光信号をデジタル信号に変換する変換回路５５と、制御装置２０の筺体に設けられた各種ボタン及びキー（テンキー、選曲ボタン等）を押したときに点灯するＬＥＤへ表示信号を出力する表示回路５６と、上記各種ボタン及びキーを押したときに発生するスイッチング信号を入力する入力回路５７とが接続されている。
【００２８】
以上の基本構成のカラオケ装置１０において、例えばエレキギター４の演奏パートを含むカラオケ楽曲データが演奏される。その演奏に合わせて利用者がエレキギター４を演奏すると、エレキギター４から出力される演奏信号は、楽器接続ボード８を介して制御装置２０の入力端子４４へ入力される。そして、音声制御回路５２において、音源信号が音声出力端子４１へ出力される。なお、いわゆるマイナスワン再生状態の場合には、音源信号のエレキギター４の楽曲パート一部をエレキギター４の演奏信号と置き置き換えて出力される。
【００２９】
このとき、本実施形態では、カラオケ楽曲データに対し、予め当該エレキギター４の演奏支援用の音高情報（この例ではコード名情報と運指情報。後述の図３、図４等を参照）が対応付けられており、当該カラオケ楽曲データの再生時にはモニタ１３，１４によって当該音高情報が表示される。これにより、演奏者である利用者は、再生されるカラオケ楽曲に合わせてエレキギター４の演奏パートを自ら演奏し、当該エレキギター４の練習を行ったり、カラオケ楽曲全体のアンサンブルを楽しむことができる。またそのとき、モニタ１３，１４に表示される上記演奏支援音高情報を見ながら、演奏を容易に行うことができる。
【００３０】
＜下げチューニング設定＞
ここで、エレキギター４等の移調可能な楽器では、いわゆる「Ａ＝４４０Ｈｚ」基準のチューニング等、標準的な発音態様とするためのチューニング設定（標準チューニング）が存在する。しかしながら、楽曲によっては、重低音感を増大させるため等の目的で、上記標準チューニングよりも例えば半音あるいは１音下げたチューニングにより演奏することが前提となっている楽曲がある。したがって、例えばこのような楽曲の演奏に対応して、利用者のエレキギター４が、上記標準チューニングよりも下げたチューニング設定（下げチューニング）とされている場合がある。
【００３１】
しかしながら、通常は、前述のカラオケ楽曲データに対応した上記演奏支援音高情報は、上記標準チューニングを前提としている。したがって、上記のような例えば半音下げのチューニングが行われている場合、そのままでは、カラオケ楽曲の再生が行われ、モニタ１３，１４に表示された上記演奏支援音高情報に応じて利用者が演奏を行うと、実際に利用者のエレキギター４から発せられる音は半音下がったコードの音となってしまい、楽曲と調和しなくなる。また、上記の下げチューニング以外に、例えばカポタストを使用して開放弦の音高を高く設定し、実質的に上記標準チューニングよりも上げた、上げチューニング設定とした場合も、同様の不調和が生じうる。
【００３２】
＜比較例＞
上記のような不調和が生じる場合を、図３を用いて比較例として具体的に説明する。図３に、この比較例における、カラオケ楽曲再生時のモニタ１３，１４の表示画面３４′の表示の一例を示す。表示画面３４′には、再生される楽曲データに対応した歌詞とともに、エレキギター４の上記演奏支援音高情報として、楽曲データに対応したコード名及び運指情報（どの位置をどのように押さえるかのポジション情報）が、上記標準チューニングを前提とした状態で表示されている。
【００３３】
具体的には、「我は」の歌詞部分に対しコード名「Ｅ」と運指情報が表示され、これに続く「来るー」の歌詞部分に対しコード名「Ｃｍ」と運指情報が表示される。コードＥの運指情報は、１弦，２弦，３弦，４弦，５弦，６弦＝０ｆ（フレット。以下同様），０ｆ，１ｆ，２ｆ，２ｆ，０ｆのポジションである。コードＣｍの運指情報は、１弦，２弦，３弦，４弦，５弦，６弦＝３ｆ，４ｆ，５ｆ，５ｆ，３ｆ，３ｆのポジションである。
【００３４】
しかしながら、上述のようにエレキギター４が標準チューニングよりも半音下げのチューニングを行っていた場合には、この比較例では、演奏支援音高情報に従って利用者がエレキギター４を演奏すると、上記「我は」の歌詞部分をカラオケ楽曲がコードＥの音で演奏しているのに、エレキギター４はコードＥ♭で発音することとなる。同様に、上記「来るー」の歌詞部分をカラオケ楽曲がコードＣｍの音で演奏しているのに、エレキギター４はコードＢｍで発音してしまう。このように、この比較例では、カラオケ楽曲の再生時に、楽曲全体について、モニタ１３，１４に表示される音高情報に従ってエレキギター４を演奏したのでは、楽曲全体が半音下がった音程で演奏されてしまい、エレキギター４で演奏する楽曲がカラオケ楽曲と調和しなくなる。
【００３５】
＜本実施形態の特徴＞
本実施形態では、上記のようにエレキギター４が下げチューニング（又は上げチューニングでもよい）で設定されている場合に、その下げチューニング（又は上げチューニング）であることを自動判定する。そして、その判定結果に応じて、カラオケ楽曲のコードに対応した演奏支援音高情報の表示にしたがって利用者が演奏を行っても、カラオケ楽曲と調和しなくなるのを防止する。その内容を図４を用いて説明する。
【００３６】
図４は、本実施形態におけるカラオケ楽曲再生時のモニタ１３，１４の表示画面３４の表示の一例を示す説明図である。表示画面３４には、上記比較例と同様、再生される楽曲データに対応した歌詞とともに、エレキギター４の演奏支援音高情報として、楽曲データに対応したコード名及び運指情報が表示される。この例では、例えばエレキギター４のチューニングが、標準よりも半音下げのチューニング設定である場合を例にとっている。まず、後述のように、その半音下げチューニング設定が自動的にカラオケ装置１０側で検出される。そして、その検出結果に応じ、図４に示す表示が実行される。
【００３７】
すなわち、この場合、再生されるカラオケ楽曲では、「我は」の歌詞部分のコードはコードＥであるので、モニタ１３，１４の表示画面３４に、音高情報として、コードＥを（上記半音下げチューニングに対応して）半音上げた新たなコード名「Ｆ」とその運指情報を表示している。また、これに続く「来るー」の歌詞部分のコードはコードＣｍであるので、これに対し、モニタ１３，１４の表示画面３４に、コードＣｍを（上記半音下げチューニングに対応して）半音上げた新たなコード名「Ｃ＃ｍ」とその運指情報を表示している。コードＦの運指情報は、コードＥのポジション（１弦，２弦，３弦，４弦，５弦，６弦＝０ｆ，０ｆ，１ｆ，２ｆ，２ｆ，０ｆ）を１フレット上げたポジション（１弦，２弦，３弦，４弦，５弦，６弦＝１ｆ，１ｆ，２ｆ，３ｆ，３ｆ，１ｆ）であり、コードＣ＃ｍの運指情報は、コードＣｍのポジション（１弦，２弦，３弦，４弦，５弦，６弦＝３ｆ，４ｆ，５ｆ，５ｆ，３ｆ，３ｆ）を１フレット上げたポジション（１弦，２弦，３弦，４弦，５弦，６弦＝４ｆ，５ｆ，６ｆ，６ｆ，４ｆ，４ｆ）である。
【００３８】
したがって、モニタ１３，１４に表示されたコード及び運指情報に従って、エレキギター４を演奏すると、「我は」の歌詞部分では、再生される楽曲データと同じコードＥの音が発音され、「来るー」の歌詞部分では、再生される楽曲データと同じコードＣ＃ｍの音が発音される。このように、カラオケ楽曲の再生時に、楽曲全体について、モニタ１３，１４にエレキギター４の演奏支援音高情報として、再生される楽曲のコードを半音上げた新たなコード名と運指情報を表示することにより、利用者は、表示された音高情報に従って、再生される楽曲と調和したエレキギター４の演奏をすることができる。
【００３９】
＜制御手順＞
上記のような本実施形態の手法を実現するために、カラオケ装置１０の楽曲再生時にＣＰＵ４５により実行される処理内容を、図５のフローチャートにより説明する。
【００４０】
図５において、このフローは、カラオケ装置１０の利用者が、制御装置２０の電源ボタンを押して制御装置２０の電源を立ち上げると、開始される。制御装置２０の電源の立ち上がりに連動して、アンプ１６、楽器接続ボード８及びモニタ１３，１４の電源が立ち上がる。なお、前述したように、この例では、カラオケ装置１０の利用者が、楽器接続ボード８にエレキギター４を接続して演奏する場合を例にとって説明する。利用者がエレキギター４のフォンプラグ４ａを楽器接続ボード８の入力端子（フォンジャック）に接続すると、楽器接続ボード８はエレキギター４が接続されたことを検知する。
【００４１】
図５において、まず、ステップＳ１０において、ＣＰＵ４５は、チューニング処理を実行する。このチューニング処理の手順を図６により説明する。図６において、まず、ステップＳ１２において、ＣＰＵ４５は、モニタ１３，１４に制御信号を出力して、利用者に対しエレキギター４のチューニング音、例えば第６弦の開放弦（すなわち０フレット）状態の発音を促す発音表示を、モニタ１３，１４により表示させる。
【００４２】
ステップＳ１４では、ＣＰＵ４５は、チューニング音の入力があるか否かを判定する。上記ステップＳ１３でのモニタ１３，１４での表示に応じて、利用者がエレキギター４の第６弦の開放弦を弾くと、その演奏音が楽器接続ボード８を介して制御装置２０に入力される。これにより、チューニング音の入力の判定が満たされ（ステップＳ１４：ＹＥＳ）、ステップＳ１６に移る。チューニング音の入力があるまで判定が満たされず（ステップＳ１４：ＮＯ）、上記ステップＳ１２に戻り、同様の手順を繰り返す。
【００４３】
ステップＳ１６では、ＣＰＵ４５は、制御装置２０に入力されたチューニング音を予め記憶された基準の音高と比較する。これにより、利用者によりエレキギター４に設定されたチューニングが、標準チューニング（音高シフト：０）であるか、あるいは、例えば標準チューニングよりも半音または１音下げる下げチューニング（音高シフト：−１／２、−１）であるか、あるいは、例えば標準チューニングよりも半音又は１音上げる上げチューニング（音高シフト：＋１／２、＋１）であるかどうか、等の移調状態を判定し、当該移調情報を取得する。その後、ステップＳ１８に移る。
【００４４】
なお、上記の移調状態の判定の際、カラオケ装置１に接続したチューニングメータ３６（あるいはカラオケ装置１内に適宜に設けてもよい）により、移調状態を表示することもできる。このチューニングメータ３６の一例を図７に示す。図７において、このチューニングメータ３６は、表示画面３６ａを有している。表示画面３６ａは、入力された信号と同調した音程で光るＬＥＤ目盛りとして、上記Ａ＝４４０Ｈｚの標準チューニングに対応した「０」の目盛りと、「０」の目盛りの一方側に設けられた（半音低いチューニングであることを表す）目盛り「♭１」及び（１音低いチューニングであることを表す）目盛り「♭２」と、「０」の目盛りの他方側に設けられた（半音高いチューニングであることを表す）目盛り「＃１」及び（１音高いチューニングであることを表す）目盛り「＃２」と、を備えている。
【００４５】
このチューニングメータ３６を使用するには、チューニングメータ３６の出力端子を楽器接続ボード８のチューニングメータ入力端子（図示省略）に接続し、チューニングメータ３６を楽器接続ボード８を介して制御装置２０に接続する。チューニングメータへの入力信号として、エレキギター４を弾いてチューニング音を楽器接続ボード８を介して制御装置２０に入力すると、チューニング音に同調した上記音程のＬＥＤ目盛りが光り、制御装置２０側でチューニング音の移調情報を判定するとともに、判定結果である移調情報が自動的に制御装置２０により取得される。
【００４６】
なお、上記は、利用者がエレキギター４において所定の発音（上記の例では６弦の開放弦の音）を行うことで、ＣＰＵ４５側で自動的に移調情報が取得されたが、これに限られない。すなわち、利用者自らが、例えば制御装置２０に設置してあるチューニングボタンを手動操作することで、エレキギター４が標準チューニングであるか、上げチューニングであるか、下げチューニングであるか、等を設定してもよい。この場合、図６のステップＳ１２及びステップＳ１４が省略され、ステップＳ１６では、上記手動操作により入力された移調情報をＣＰＵ４５が取得する。
【００４７】
ステップＳ１８では、ＣＰＵ４５は、上記ステップＳ１６で得られた移調情報取得結果を例えばＲＡＭ４９に記憶する。その後、図５に戻り、ステップＳ２５に移行する。
【００４８】
以上のフローにおいて、上記ステップＳ１４の手順が各請求項記載の演奏信号入力手段として機能し、ステップＳ１６の手順が移調情報取得手段として機能する。
【００４９】
図５に戻り、ステップＳ２５では、ＣＰＵ４５は、利用者による選曲が終了したか否かを判定する。選曲は、例えば、利用者がエレキギター４を演奏したい曲の選曲番号をリモコン３０のテンキーにより入力し、選曲ボタンを押すと、選曲が終了する。選曲が終了するまではステップＳ２５の判定が満たされず（ステップＳ２５：ＮＯ）、ループ待機する。選曲が終了した場合はステップＳ２５の判定が満たされ（ステップＳ２５：ＹＥＳ）、ステップＳ３０に移る。
【００５０】
ステップＳ３０では、ＣＰＵ４５は、ステップＳ２５での選曲結果に対応し、上記選曲番号を示す選曲番号データをＲＡＭ４６に一時保存するとともに、ＬＡＮボード５０を介し、上記選曲番号に対応する曲データの送信を要求するリクエスト信号を、ＬＡＮ回線１５を介してサーバー５８へ送信する。これにより、サーバー５８は、図示しない記憶装置から、上記リクエスト信号に示される選曲番号に対応する曲データ（演奏支援音高情報に相当する、エレキギター４のコード情報及び運指情報を含む）を検索して読み出し、その読み出された曲データを、ＬＡＮ回線１５を介して制御装置２０に送信する。ステップＳ３０が終了したら、ステップＳ３５に移る。
【００５１】
ステップＳ３５では、ＣＰＵ４５は、ＬＡＮボード５０を介し、サーバー５８からＬＡＮ回線１５を介して送信された（コード情報及び運指情報を含む）曲データを受信する。その後、ステップＳ４０に移る。
【００５２】
ステップＳ４０では、ＣＰＵ４５は、上記ステップＳ４０で受信した曲データをＲＡＭ４９に一時保存させる。その後、ステップＳ４５に移る。
【００５３】
ステップＳ４５では、ＣＰＵ４５は、上記ステップＳ１０のチューニング処理で取得したエレキギター４の移調情報が±０であるか（すなわち標準チューニングか）否か、を判定する。エレキギター４の移調情報判定が±０でない（すなわち下げチューニング又は上げチューニングである）場合は判定が満たされず（ステップＳ４５：ＮＯ）、ステップＳ５０に移る。エレキギター４の移調情報判定が±０であった（すなわち標準チューニングである）場合は判定が満たされ（ステップＳ４５：ＹＥＳ）、後述のステップＳ５５に移る。
【００５４】
ステップＳ５０では、ＣＰＵ４５は、図６の上記ステップＳ１５で取得した移調情報に応じて、上記ステップＳ３５で取得しステップＳ４０で保存された曲データに含まれる上記コード及び運指情報を、当該移調情報の表わす移調状態と相反するようにプラス側又はマイナス側にシフトする。すなわち、例えば上記ステップＳ１５で取得された移調情報が半音下げであればコード及び運指情報を半音上げるようにシフトし、移調情報が１音下げであればコード及び運指情報を１音上げるようにシフトし、移調情報が半音上げであればコード及び運指情報を半音下げるようにシフトし、移調情報が１音上げであればコード及び運指情報を１音下げるようにシフトして、新たなコード及び運指情報を生成する。ステップＳ５０が終了したら、ステップＳ５５に移る。
【００５５】
ステップＳ５５では、ＣＰＵ４５は、上記ステップＳ４０でＲＡＭ４９に記憶されているＭＩＤＩデータの読み出しを開始し、読み出されたＭＩＤＩデータをＭＩＤＩ音源ボード５１に書き込む。ステップＳ５５が終了したら、ステップＳ６０に移る。
【００５６】
ステップＳ６０では、ＣＰＵ４５は、ＭＩＤＩ音源ボード５１に制御信号を出力し、上記ステップＳ５５で書き込んだＭＩＤＩデータに対応した音源信号を、ＭＩＤＩ音源ボード５１から出力させる。ＭＩＤＩ音源ボード５１から出力される音源信号は、音声制御回路５２へ出力されるとともに、アンプ１６により増幅可能な音楽信号に変換され、この変換された音楽信号は、音声出力端子４１からアンプ１６へ出力される。また、マイクロフォン１７，１８から入力された音声信号は、アンプ１６に内蔵されたミキシング回路９において上記音楽信号とミキシングされる。このとき、エレキギター４の出力端子４ａから出力された演奏信号は、楽器接続ボード８及び制御装置２０を介してミキシング回路９に入力され、上記音声信号及び音楽信号とミキシングされる。そして、そのミキシングされたミキシング信号は、アンプ１６に内蔵された図示しない増幅回路により増幅された後にスピーカ１１及びスピーカ１２へ出力され、両スピーカによって再生される。ステップＳ６０が終了すると、ステップＳ６５に移る。
【００５７】
ステップＳ６５では、ＣＰＵ４５は、モニタ１３，１４に制御信号を出力し、ステップＳ５０で生成された新たなコード情報及びその運指情報をモニタ１３，１４により表示させる。これにより、エレキギター４の演奏者である利用者は、モニタ１３，１４に表示されるコード情報及び運指情報にしたがってエレキギター４を演奏することにより、再生されるカラオケ楽曲と調和したエレキギター演奏パートの演奏をすることができる。つまり、エレキギター４に標準チューニングよりも例えば半音あるいは１音下げた下げチューニング設定、例えば半音あるいは１音上げた上げチューニング設定が行われている場合であっても、エレキギター４の演奏支援音高情報であるコード及び運指情報として、チューニングによる移調状態と相反するようにプラス側又はマイナス側にシフトした新たなコード及び運指情報がモニタ１３，１４によって表示される。その結果、利用者は、モニタ１３，１４に表示されるコード情報及びその運指情報にしたがってエレキギター４を演奏しても、再生されるカラオケ楽曲と不調和を生じることがない。その後、ステップＳ７０に移る。
【００５８】
ステップＳ７０では、ＣＰＵ４５は、曲データの再生が終了したか（言い換えれば、ステップＳ５５でのＭＩＤＩデータの読み出しが曲データの最後のＭＩＤＩデータまで終了したか）否かを判定する。曲データの再生が終了していれば判定が満たされ（ステップＳ７０：ＹＥＳ）、このフローを終了する。曲データの再生が終了するまでは判定が満たされず（ステップＳ７０：ＮＯ）、上記ステップＳ５５に戻り、上記ステップＳ５５〜ステップＳ６５の手順を繰り返す。
【００５９】
以上のフローにおいて、上記ステップＳ５０の手順が各請求項記載の音高情報シフト手段として機能し、上記ステップＳ６０の手順がカラオケ楽曲再生手段として機能する。
【００６０】
以上説明したように、本実施形態のカラオケ装置１０においては、エレキギター４において上述の下げチューニングや上げチューニングが行われていた場合には、当該下げチューニングや上げチューニングの移調状態（何音下げられているか又は何音上げられているか）を表す移調情報がＣＰＵ４５で取得される。そして上記移調情報の表す移調状態と相反するように、上記コード名情報や運指情報がシフトしてモニタ１３，１４によって表示される。この結果、利用者は、再生されるカラオケ楽曲と調和した演奏を確実に行うことができる。
【００６１】
また、本実施形態では特に、エレキギター４から入力された演奏信号に含まれる所定の音を基準音高と比較することで、移調情報が自動取得される（ステップＳ１６参照）。すなわち、例えばカラオケ楽曲の再生前に利用者がエレキギター４をカラオケ装置１０に接続し所定の演奏（発音）を行うだけで、カラオケ装置１０側で当該エレキギター４の移調情報を自動取得することができる。この場合、利用者が、エレキギター４の移調情報を別途操作入力する必要等がなく操作負担を低減できるので、さらに利便性を向上することができる。
【００６２】
なお、以上においては、エレキギター４の演奏支援音高情報として、カラオケ楽曲に対応するコード名及び運指情報が用いられる場合を例にとって説明したが、これに限られない。すなわち、演奏支援音高情報としてＴＡＢ譜を用い、前述のようにしてシフトさせたＴＡＢ譜をモニタ１３，１４に表示してもよい。さらに、コード名、運指情報、及びＴＡＢ譜のうちの１つを単独で又は複数を組み合わせて使用することもできる。また、以上は、移調可能な楽器としてエレキギター４の場合を例にとって説明したが、これに限られず、他のフレット付き弦楽器（エレキベース、ピックアップ付きのアコースティックギター）等の演奏時に適用してもよい。さらには弦楽器にも限られず、キーボード３２（図１参照）等の移調可能な電子式の鍵盤楽器の演奏時に適用してもよい。
【００６３】
なお、以上において、図５、図６に示すフローチャートは本発明を上記フローに示す手順に限定するものではなく、発明の趣旨及び技術的思想を逸脱しない範囲内で手順の追加・削除又は順番の変更等をしてもよい。
【００６４】
また、以上既に述べた以外にも、上記実施形態による手法を適宜組み合わせて利用しても良い。
【００６５】
その他、一々例示はしないが、本発明は、その趣旨を逸脱しない範囲内において、種々の変更が加えられて実施されるものである。
【符号の説明】
【００６６】
４                エレキギター（移調可能楽器、移調可能なフレット付き弦楽器）
１０              カラオケ装置（楽音演奏装置）
１３，１４        モニタ（表示手段）
２０              制御装置
３２              キーボード（移調可能楽器、移調可能な鍵盤楽器）
３４              表示画面
３６              チューニングメータ
【図１】
2014026213.tif 000003
【図２】
2014026213.tif 000004
【図３】
2014026213.tif 000005
【図４】
2014026213.tif 000006
【図５】
2014026213.tif 000007
【図６】
2014026213.tif 000008
【図７】
2014026213.tif 000009